(57)【要約】本発明は、ウイルス特性を用いてＤＲＭおよびトラッキングを実行する方法およびこの方法を実行するシステムに関する。本発明に係るデジタルコンテンツに対するＤＲＭおよびトラッキングを実行する方法は、ＤＲＭシステムでデジタルコンテンツにウイルス特性を有するＤＲＭコードを挿入するステップと、ＤＲＭコードによって生成されたＤＲＭ情報に基づいてデジタルコンテンツに対するＤＲＭおよびトラッキングを実行するステップとを含む。【選択図】図２
2009538465.tif 000002
【特許請求の範囲】
【請求項１】
デジタルコンテンツに対するＤＲＭおよびトラッキングを実行する方法であって、
ＤＲＭシステムから前記デジタルコンテンツにウイルス特性を有するＤＲＭコードを挿入するステップと、
前記ＤＲＭコードによって生成されたＤＲＭ情報に基づいて前記デジタルコンテンツに対するＤＲＭおよびトラッキングを実行するステップと、
を含むことを特徴とするＤＲＭおよびトラッキング実行方法。
【請求項２】
前記ＤＲＭコードは、他のプログラムに挿入されて現われないように機能を実行する前記ウイルス特性を用いて前記デジタルコンテンツが再生される場合に、ＤＲＭ機能を実行することを特徴とする請求項１に記載のＤＲＭおよびトラッキング実行方法。
【請求項３】
前記ＤＲＭ機能は、前記デジタルコンテンツと関連した前記ＤＲＭ情報を生成する機能および前記ＤＲＭシステムに前記ＤＲＭ情報を送信する機能を含むことを特徴とする請求項２に記載のＤＲＭおよびトラッキング実行方法。
【請求項４】
前記ＤＲＭ情報は、ＩＰアドレス、前記デジタルコンテンツの再生時間、再生回数、または伝播回数を含み、
前記ＤＲＭコードによって生成されたＤＲＭ情報に基づいて前記デジタルコンテンツに対するＤＲＭおよびトラッキングを実行する前記ステップは、
前記デジタルコンテンツをダウンロードした端末機から前記ＤＲＭ情報を受信するステップと、
前記ＤＲＭ情報から前記ＩＰアドレス、前記再生時間、前記再生回数、または前記伝播回数を抽出するステップと、
前記ＩＰアドレス、前記再生時間、前記再生回数、または前記伝播回数を分析して前記デジタルコンテンツの配布程度および利用程度を把握するステップと、
を含むことを特徴とする請求項１に記載のＤＭＲおよびトラッキング実行方法。
【請求項５】
前記ＤＲＭシステムは、前記ＤＲＭコードに固有のＩＤを挿入して前記端末機で複数の他の端末機に前記デジタルコンテンツを再配布した場合に、前記ＩＤを用いてそれぞれの端末機で入力されたＤＲＭ情報に対する再配布を認識し、所定の数量以上の伝播を制限することを特徴とする請求項４に記載のＤＲＭおよびトラッキング実行方法。
【請求項６】
前記伝播回数は、前記デジタルコンテンツをダウンロードした端末機の個数を含むことを特徴とする請求項４に記載のＤＲＭおよびトラッキング実行方法。
【請求項７】
ＤＲＭシステムから前記デジタルコンテンツにウイルス特性を有するＤＲＭコードを挿入する前記ステップは、
前記デジタルコンテンツに前記ウイルス特性またはＩＲＣＢｏｔの特性を有する広告タグを挿入するステップと、
前記広告タグを用いて前記ＤＲＭシステムに前記デジタルコンテンツをダウンロードした端末機から広告要請が送信された場合に、前記広告要請と関連した広告を前記端末機に提供するステップと、
を含むことを特徴とする請求項１に記載のＤＲＭおよびトラッキング実行方法。
【請求項８】
前記デジタルコンテンツは、前記ＤＲＭおよびトラッキングが要求されるテキスト、イメージ、動画、音楽コンテンツ、または広告物を含み、
前記デジタルコンテンツから前記ＤＲＭコードが任意に削除される場合に、前記デジタルコンテンツが満了することを特徴とする請求項１に記載のＤＲＭおよびトラッキング実行方法。
【請求項９】
ＤＲＭコードでＤＲＭ機能を実行する方法であって、
デジタルコンテンツが再生される場合に、前記デジタルコンテンツと関連したＤＲＭ情報を生成するステップと、
前記デジタルコンテンツと関連したＤＲＭシステムに前記ＤＲＭ情報を送信するステップと、
を含むことを特徴とするＤＲＭ機能実行方法。
【請求項１０】
前記ＤＲＭコードは、他のプログラムに挿入されて現われないように機能を実行するウイルス特性を用いて前記デジタルコンテンツが再生される場合に、ＤＲＭ機能を実行することを特徴とする請求項９に記載のＤＲＭ機能実行方法。
【請求項１１】
前記ＤＲＭ情報は、ＩＰアドレス、前記デジタルコンテンツの再生時間、再生回数、または伝播回数を含み、
デジタルコンテンツが再生される場合に、前記デジタルコンテンツと関連したＤＲＭ情報を生成する前記ステップは、
前記端末機の前記ＩＰアドレスおよびＭＡＣアドレスを取得するステップと、
前記ＩＰアドレスを前記ＤＲＭ情報に追加するステップと、
前記ＭＡＣアドレスを用いて前記デジタルコンテンツの再配布の可否を確認して前記伝播回数を増加させるステップと、
前記再生時間および前記再生回数を取得して前記ＤＲＭ情報に追加するステップと、
を含むことを特徴とする請求項９に記載のＤＲＭ機能実行方法。
【請求項１２】
前記伝播回数は、前記デジタルコンテンツをダウンロードした端末機の個数を含み、
前記ＭＡＣアドレスを用いて前記デジタルコンテンツの再配布の可否を確認して前記伝播回数を増加させる前記ステップは、
前記ＭＡＣアドレスを前記ＤＲＭ情報が含む既存のＭＡＣアドレスと比較するステップと、
前記ＭＡＣアドレスと前記既存のＭＡＣアドレスとが互いに異なる場合に、前記既存のＭＡＣアドレスを前記ＭＡＣアドレスに変更するステップと、
前記ＤＲＭ情報に含まれた前記伝播回数のカウンタを増加させるステップと、
を含むことを特徴とする請求項１１に記載のＤＲＭ機能実行方法。
【請求項１３】
前記ＭＡＣアドレスと前記既存のＭＡＣアドレスとが互いに異なる場合に、前記デジタルコンテンツが再配布されることを認識するステップと、
前記伝播回数が所定の満了回数以上である場合に、前記デジタルコンテンツを満了するステップと、
をさらに含むことを特徴とする請求項１２に記載のＤＲＭ機能実行方法。
【請求項１４】
デジタルコンテンツが再生される場合に、前記デジタルコンテンツと関連したＤＲＭ情報を生成する前記ステップは、
前記端末機が携帯用デジタル装置である場合に、前記携帯用デジタル装置の固有番号を認識して前記デジタルコンテンツの再配布を認識することによって前記デジタルコンテンツの再生を制限するステップ、
を含むことを特徴とする請求項９に記載のＤＲＭ機能実行方法。
【請求項１５】
前記デジタルコンテンツの再生を制限する前記ステップは、
前記ＤＲＭシステムへの情報送信が不可能な場合に、前記コンテンツの再生を制限するステップ、
を含むことを特徴とする請求項１４に記載のＤＲＭ機能実行方法。
【請求項１６】
デジタルコンテンツが再生される場合に、前記デジタルコンテンツと関連したＤＲＭ情報を生成する前記ステップは、
前記デジタルコンテンツ内にウイルス特性またはＩＲＣＢｏｔの特性を有する広告タグが存在する場合に、前記広告タグと関連したＤＲＭサーバまたは広告サーバに広告をリアルタイムで要請する広告要請を送信するステップ、
をさらに含むことを特徴とする請求項９に記載のＤＲＭ機能実行方法。
【請求項１７】
前記ＤＲＭコードは、前記デジタルコンテンツの初め、中間、終りを含む多様な位置に挿入が可能であることを特徴とし、
前記ＤＲＭコードに前記デジタルコンテンツに広告物を挿入するレイヤまたはスクリプトが含まれている場合に、前記広告物を提供するステップと、
前記広告物が選択される場合に、前記端末機のアプリケーションおよびネットワークを介して前記広告物と関連したＵＲＬのウェブページを提供するステップと、
をさらに含むことを特徴とする請求項９に記載のＤＲＭ機能実行方法。
【請求項１８】
前記広告物は、ストリーミング広告、静止写真広告、またはリッチメディアコンテンツを含むことを特徴とする請求項１７に記載のＤＲＭ機能実行方法。
【請求項１９】
前記デジタルコンテンツと関連したＤＲＭシステムに前記ＤＲＭ情報を送信する前記ステップは、
前記端末機のネットワーク連結を確認するステップと、
前記ネットワーク連結が確認された場合に、前記ＤＲＭコードが含む前記ＤＲＭシステムと関連したＵＲＬ情報を用いて前記ＤＲＭ情報を送信するステップと、
を含むことを特徴とする請求項９に記載のＤＲＭ機能実行方法。
【請求項２０】
請求項１〜１９のうちのいずれか一項の方法を実行させるためのプログラムを記録したコンピュータ読み取り可能な記録媒体。
【請求項２１】
デジタルコンテンツに対するＤＲＭおよびトラッキングを実行するＤＲＭシステムであって、
ＤＲＭシステムから前記デジタルコンテンツにウイルス特性を有するＤＲＭコードを挿入するＤＲＭコード挿入部と、
前記ＤＲＭコードによって生成されたＤＲＭ情報に基づいて前記デジタルコンテンツに対するＤＲＭおよびトラッキングを実行するＤＲＭおよびトラッキング実行部と、
を備えることを特徴とするＤＲＭシステム。
【請求項２２】
前記ＤＲＭコードは、他のプログラムに挿入されて現われないように機能を実行する前記ウイルス特性を用いて前記デジタルコンテンツが再生される場合に、ＤＲＭ機能を実行することを特徴とする請求項２１に記載のＤＲＭシステム。
【請求項２３】
前記ＤＲＭ機能は、前記デジタルコンテンツと関連した前記ＤＲＭ情報を生成する機能および前記ＤＲＭシステムに前記ＤＲＭ情報を送信する機能を含むことを特徴とする請求項２２に記載のＤＲＭシステム。
【請求項２４】
前記ＤＲＭ情報は、ＩＰアドレス、前記デジタルコンテンツの再生時間、再生回数、または伝播回数を含み、
前記ＤＲＭおよびトラッキング実行部は、
前記デジタルコンテンツをダウンロードした端末機から前記ＤＲＭ情報を受信するＤＲＭ情報受信部と、
前記ＤＲＭ情報から前記ＩＰアドレス、前記再生時間、前記再生回数、または前記伝播回数を抽出する情報抽出部と、
前記ＩＰアドレス、前記再生時間、前記再生回数、または前記伝播回数を分析して前記デジタルコンテンツの配布程度および利用程度を把握する配布程度および利用程度把握部と、
を備えることを特徴とする請求項２１に記載のＤＭＲシステム。
【請求項２５】
ＤＲＭコード実行システムであって、
デジタルコンテンツが再生される場合に、前記デジタルコンテンツと関連したＤＲＭ情報を生成するＤＲＭ情報生成部と、
前記デジタルコンテンツと関連したＤＲＭシステムに前記ＤＲＭ情報を送信するＤＲＭ情報送信部と、
を備えることを特徴とするＤＲＭコード実行システム。
【請求項２６】
前記ＤＲＭ情報は、ＩＰアドレス、前記デジタルコンテンツの再生時間、再生回数、または伝播回数を含み、
前記ＤＲＭ情報生成部は、
前記端末機の前記ＩＰアドレスおよびＭＡＣアドレスを取得するアドレス取得部と、
前記ＩＰアドレスを前記ＤＲＭ情報に追加するＩＰアドレス追加部と、
前記ＭＡＣアドレスを用いて前記デジタルコンテンツの再配布の可否を確認し、再配布された場合に前記伝播回数を増加させる伝播回数増加部と、
前記再生時間および前記再生回数を取得して前記ＤＲＭ情報に追加する再生時間および再生回数追加部と、
を備えることを特徴とする請求項２５に記載のＤＲＭコード実行システム。
【請求項２７】
前記伝播回数は、前記デジタルコンテンツをダウンロードした端末機の個数を含み、
前記伝播回数増加部は、
前記ＭＡＣアドレスを前記ＤＲＭ情報が含む既存のＭＡＣアドレスと比較するＭＡＣアドレス比較部と、
前記ＭＡＣアドレスと前記既存のＭＡＣアドレスとが互いに異なる場合に、前記既存のＭＡＣアドレスを前記ＭＡＣアドレスに変更するＭＡＣアドレス変更部と、
前記ＤＲＭ情報に含まれた前記伝播回数のカウンタを増加させるカウンタ増加部と、
を備えることを特徴とする請求項２６に記載のＤＲＭコード実行システム。
【請求項２８】
前記ＭＡＣアドレスと前記既存のＭＡＣアドレスとが互いに異なる場合に、前記デジタルコンテンツが再配布されることを認識する再配布認識部と、
前記伝播回数が所定の満了回数以上である場合に、前記デジタルコンテンツを満了するデジタルコンテンツ満了部と、
をさらに備えることを特徴とする請求項２７に記載のＤＲＭコード実行システム。
【発明の詳細な説明】
【技術分野】
【０００１】
本発明は、ウイルス特性を用いてＤＲＭ（Ｄｉｇｉｔａｌ  Ｒｉｇｈｔ  Ｍａｎａｇｅｍｅｎｔ）およびトラッキング（ｔｒａｃｋｉｎｇ）を実行する方法およびこの方法を実行するシステムに関し、より詳細には、他のプログラムに挿入されて現れないように機能を実行するウイルス特性を有するＤＲＭコードをデジタルコンテンツに挿入し、このデジタルコンテンツが再生される場合に、ＤＲＭコードから多様な情報をＤＲＭシステムに送信することによってＤＲＭおよびトラッキングを実行する方法およびこの方法を実行するＤＲＭシステムに関する。
【背景技術】
【０００２】
従来技術のＤＲＭは、「Ｄｉｇｉｔａｌ  Ｒｉｇｈｔ  Ｍａｎａｇｅｍｅｎｔ」の略字であり、デジタルコンテンツの無断使用を防いで著作権に関連する当事者の利益と権利を保護する技術とサービスを意味する。
【０００３】
コンテンツ提供者の権利と利益を安全に保護して不法複製を防ぎ、使用料賦課と決済代行などコンテンツの生成において流通・管理までを一括的に支援する技術である。ここには、適法なユーザのみがコンテンツを用いて適切な料金を支払うようにするデジタル著作権管理技術、著作権承認と執行のためのソフトウェアおよび保安（セキュリティ）技術、支払い・決済技術がすべて含まれる。音楽共有サービスとして有名なナップスターが２００１年にＭＰ３著作権保護のために採択したのが始めとなり、オンラインコンテンツが有料化して重要な技術として浮上し、アメリカマサチューセッツ工科大学では未来１０大核心情報技術として選定された。
【０００４】
図１は、従来技術において、ＤＲＭを実行する方法を概括的に示す図である。図１に示すように、ＤＲＭシステム１０１は、コンテンツ１０２を提供する提供者１０３と支払いシステム１０４を連結してコンテンツ１０２を提供し、ユーザ端末機１０５にコンテンツ１０２を暗号化して伝達する。
【０００５】
このように暗号化されたコンテンツ１０２を再生するためには、提供者１０３側で提供するブラウザがユーザ端末機１０５に設置されていなければならず、このブラウザは、不法複製防止、再生回数制限、またはコンテンツ１０２のユーザ端末機１０５からの２次配布制限などの機能を実行する。
【０００６】
しかしながら、このような従来技術のＤＲＭは、動画、音楽コンテンツ、または広告物などのデジタルコンテンツがどこでどのくらい再生されたのかに対する情報を全く取得できないという問題点がある。このような問題点を解決するためのプログラムをデジタルコンテンツに含んだとしても、デジタルコンテンツのファイル容量増加およびファイル品質低下などの問題点が発生する。
【０００７】
また、従来技術のＤＲＭは、デジタルコンテンツを再生するための汎用プレイヤに依存的となり、上述したようなプログラムの存在可否によって汎用プレイヤで再生が不可能な場合が発生するという問題点がある。
【０００８】
さらに、デジタルコンテンツに広告物を挿入することにおいて、既存の広告物挿入方法は、動画フォーマットの形式およびの上述した汎用プレイヤの依存度が高く、広告物を広告主が思い通りに挿入したり広告物の伝播程度を追跡したりすることが不可能であるという問題点がある。
【発明の開示】
【発明が解決しようとする課題】
【０００９】
本発明は、上述した従来技術の問題点を解決するために案出されたものであって、本発明は、ウイルス特性を用いてＤＲＭ（Ｄｉｇｉｔａｌ  Ｒｉｇｈｔ  Ｍａｎａｇｅｍｅｎｔ）およびトラッキング（ｔｒａｃｋｉｎｇ）を実行する方法およびこの方法を実行するシステムに関する新しい技術を提案する。
【００１０】
本発明は、ウイルス特性を有するＤＲＭコードをデジタルコンテンツに挿入し、デジタルコンテンツが再生される場合に、ＤＲＭコードでデジタルコンテンツと関連したＤＲＭ情報を生成してＤＲＭシステムに送信することで、ＤＲＭ情報に基づいてデジタルコンテンツの配布程度および利用程度を把握し、デジタルコンテンツに対するＤＲＭおよびトラッキングを実行することを目的とする。
【００１１】
また、本発明は、デジタルコンテンツのファイル容量およびファイル品質に対してほぼ変化がなく、ＤＲＭコードの存在可否とは無関係に汎用プレイヤで再生可能であり、汎用プレイヤに依存せずにデジタルコンテンツに対するＤＲＭおよびトラッキングを実行することを他の目的とする。
【００１２】
さらに、本発明は、デジタルコンテンツにＤＲＭコードと共に広告物を挿入した場合またはデジタルコンテンツが広告物である場合に、広告主が広告物に対してトラッキングして広告効果を測定するための情報を容易かつ便利に提供されるようにすることをさらに他の目的とする。
【課題を解決するための手段】
【００１３】
上述した目的を達成し、上述した従来技術の問題点を解決するために、本発明の一実施形態に係るデジタルコンテンツ（ｄｉｇｉｔａｌ  ｃｏｎｔｅｎｔｓ）に対するＤＲＭおよびトラッキングを実行する方法は、ＤＲＭシステムから前記デジタルコンテンツにウイルス特性を有するＤＲＭコードを挿入するステップと、前記ＤＲＭコードによって生成されたＤＲＭ情報に基づいて前記デジタルコンテンツに対するＤＲＭおよびトラッキングを実行するステップとを含む。
【００１４】
本発明の一側によれば、前記ＤＲＭコードは、他のプログラムに挿入されて現れないように機能を実行する前記ウイルス特性を用いて前記デジタルコンテンツが再生される場合に、ＤＲＭ機能を実行することを特徴とすることができる。
【００１５】
本発明の他の側面によれば、前記ＤＲＭ機能は、前記デジタルコンテンツと関連した前記ＤＲＭ情報を生成する機能と、前記ＤＲＭシステムに前記ＤＲＭ情報を送信する機能とを含むことを特徴とすることができる。
【００１６】
本発明のさらに他の側面によれば、前記ＤＲＭ情報は、ＩＰアドレス、前記デジタルコンテンツの再生時間、再生回数、または伝播回数を含み、前記ＤＲＭコードによって生成されたＤＲＭ情報に基づいて前記デジタルコンテンツに対するＤＲＭおよびトラッキングを実行する前記ステップは、前記デジタルコンテンツをダウンロードした端末機から前記ＤＲＭ情報を受信するステップと、前記ＤＲＭ情報から前記ＩＰアドレス、前記再生時間、前記再生回数、または前記伝播回数を抽出するステップと、前記ＩＰアドレス、前記再生時間、前記再生回数、または前記伝播回数を分析して前記デジタルコンテンツの配布程度および利用程度を把握するステップとを含むことができる。
【００１７】
本発明の他の実施形態によれば、ＤＲＭコードでＤＲＭ機能を実行する方法は、デジタルコンテンツが再生される場合に、前記デジタルコンテンツと関連したＤＲＭ情報を生成するステップと、前記デジタルコンテンツと関連したＤＲＭシステムに前記ＤＲＭ情報を送信するステップとを含む。
【００１８】
本発明のさらに他の実施形態によれば、デジタルコンテンツに対するＤＲＭおよびトラッキングを実行するＤＲＭシステムは、ＤＲＭシステムから前記デジタルコンテンツにウイルス特性を有するＤＲＭコードを挿入するＤＲＭコード挿入部と、前記ＤＲＭコードによって生成されたＤＲＭ情報に基づいて前記デジタルコンテンツに対するＤＲＭおよびトラッキングを実行するＤＲＭおよびトラッキング実行部とを備える。
【００１９】
本発明において、「デジタルコンテンツ」とは、インターネットまたはネットワーク通信網で用いるために符号、文字、音声、音響、イメージ、映像などをデジタル方式で製作、処理、流通する各種資料と情報を統括する意味として用いられる。
【発明を実施するための最良の形態】
【００２０】
以下、添付の図面を参照しながら、本発明に係る多様な実施形態について詳しく説明する。
【００２１】
図２は、本発明の第１実施形態において、デジタルコンテンツに対するＤＲＭおよびトラッキングを実行する方法を概括的に示す図である。
【００２２】
図２に示すように、デジタルコンテンツにウイルス特性を有するＤＲＭコードを挿入したＤＲＭシステム２０１からデジタルコンテンツをダウンロードした端末機２０２でデジタルコンテンツが再生される場合に、ＤＲＭコードが動作してデジタルコンテンツと関連したＤＲＭ情報を生成し、ＤＲＭ情報をＤＲＭシステム２０１に送信する。
【００２３】
この場合に、端末機２０２からデジタルコンテンツをダウンロードした他の端末機２０３でこのデジタルコンテンツが再生される場合にも、ＤＲＭコードが動作してＤＲＭ情報を生成してＤＲＭシステム２０１に送信する。
【００２４】
このとき、ＤＲＭシステム２０１は、受信されたＤＲＭ情報を分析してデジタルコンテンツに対するＤＲＭおよびトラッキングを実行する。
【００２５】
以上、図２を参照しながらデジタルコンテンツに対するＤＲＭおよびトラッキングを実行する方法を概括的に詳察したが、図３〜８を参照しながらこの方法の実行ステップ、効果、および意味についてさらに詳しく説明する。
【００２６】
図３は、本発明の第１実施形態において、デジタルコンテンツに対するＤＲＭおよびトラッキングを実行する方法を示すフローチャートである。
【００２７】
ステップＳ３１０で、ＤＲＭシステムは、デジタルコンテンツにウイルス特性を有するＤＲＭコードを挿入する。この場合に、ＤＲＭコードは、他のプログラムに挿入されて現れないように機能を実行するウイルス特性を用いてデジタルコンテンツに再生される場合に、現れないようにＤＲＭ機能を実行することができる。
【００２８】
さらに、ステップＳ３１０は、デジタルコンテンツにウイルス特性またはＩＲＣＢｏｔの特性を有する広告タグを挿入するステップ（図示せず）と、広告タグを介してＤＲＭシステムにデジタルコンテンツをダウンロードした端末機から広告要請が送信された場合に、広告要請と関連した広告を当該端末機に提供するステップ（図示せず）とを含むことができる。
【００２９】
上述したように、デジタルコンテンツは、インターネットまたはネットワーク通信網で用いるために符号、文字、音声、音響、イメージ、映像などをデジタル方式で製作、処理、流通する各種資料と情報を総括することができる。特に、実施形態により、デジタルコンテンツは、ＤＲＭまたはトラッキングが要求される動画、音楽コンテンツ、または広告物を含むことができる。
【００３０】
このようなデジタルコンテンツは、デジタルコンテンツからＤＲＭコードが任意に削除される場合に、自動で満了することができる。これは、ＤＲＭおよびトラッキングを防ぐために故意的にＤＲＭコードが削除されないように制限する機能の追加を意味する。
【００３１】
ウイルス特性は、コンピュータウイルス特性を含むものであるが、コンピュータウイルスの動作原理は次のとおりとある。
【００３２】
（１）コンピュータウイルスを正常なプログラムよりも優先して処理する。  まず、プログラムの後に挿入され、このプログラムの初めの命令語をコンピュータウイルスにジャンプするように変える機能を実行する。したがって、感染したプログラムを実行すれば、まずコンピュータウイルスが実行され、他のプログラムを感染させるなどの役割を実行した後、本来のプログラムを実行するようになる。
【００３３】
このとき、ユーザは、他の点は感知できなかったり、端末機の速度が多少遅くなったと感じたりするだけである。結局、ユーザがコンピュータウイルスの存在に気づいたときには、破壊的なルーティンが実行された後である場合が大部分である。
【００３４】
（２）メモリ領域にウイルスコードを隠しておく。  バッファ領域やスタック領域のようにプログラムで多く用いられない部分を検査し、そこにコンピュータウイルスのコードを位置させる。このとき、全体プログラムの長さは変わらない。また、用いられない領域が少ないプログラムも感染させるため、ディスクドライバに隠蔽ファイルを生成させた後、プログラム内にはこのファイルを示すルーティンのみが収容される場合もある。
【００３５】
（３）正常なプログラムの間に隠れて作動する。  また、コンピュータウイルスは、トロイの木馬プログラムのようにコンピュータウイルス拡散のための目的として製作された他のプログラムの内部に隠れている場合がある。このような他のプログラムは、主にゲーム、有用なユーティリティ、有名な商業用プログラムの新バージョン、またはコンピュータユーザに極めて魅力的な偽ニュースなどであり得る。
【００３６】
このように、ＤＲＭコードは、デジタルコンテンツと関連したＤＲＭ情報を生成する機能およびＤＲＭシステムにＤＲＭ情報を送信するＤＲＭ機能を、上述した動作原理のウイルス特性を用いて現われないように実行するため、ＤＲＭコードをデジタルコンテンツに挿入することによってダウンロードされたデジタルコンテンツのファイル容量およびファイル品質に対してほぼ変化がなく、ＤＲＭコードの存在可否とは無関係に汎用プレイヤで再生が可能であり、汎用プレイヤに依存しないＤＲＭおよびトラッキングを実行することが可能である。
【００３７】
ステップＳ３２０で、ＤＲＭシステムは、ＤＲＭコードによって生成されたＤＲＭ情報に基づいてデジタルコンテンツに対するＤＲＭおよびトラッキングを実行する。この場合に、ステップＳ３２０は、ステップＳ３２１〜ステップＳ３２３を含んで実行することができる。さらに、ＤＲＭシステムは、ＤＲＭコードに固有のＩＤを挿入して端末機から複数の他の端末機にデジタルコンテンツを再配布した場合に、当該ＩＤを用いてそれぞれの端末機で入力されたＤＲＭ情報に対する再配布を認識し、所定の数量以上の伝播を制限することができる。
【００３８】
ステップＳ３２１で、ＤＲＭシステムは、デジタルコンテンツをダウンロードした端末機からＤＲＭ情報を受信する。ＤＲＭ情報は、ＤＲＭコードによって生成および送信された情報であり、端末機のＩＰアドレス、デジタルコンテンツの再生時間、再生回数、または伝播回数を含むことができる。
【００３９】
端末機のユーザがデジタルコンテンツをダウンロードするとき、デジタルコンテンツに含まれたＤＲＭコードに対する内容およびＤＲＭ情報に対する内容をユーザに提供し、ユーザから内容の熟知に対する同意を要求し、同意が受諾された場合にデジタルコンテンツのダウンロードが可能となるようにできる。
【００４０】
ステップＳ３２２で、ＤＲＭシステムは、ＤＲＭ情報からＩＰアドレス、再生時間、再生回数、または伝播回数を抽出する。このとき、伝播回数は、デジタルコンテンツをダウンロードした端末機の個数を含むことができる。
【００４１】
ステップＳ３２３で、ＤＲＭシステムは、ＩＰアドレス、再生時間、再生回数、または伝播回数を分析してデジタルコンテンツの配布程度および利用程度を把握する。すなわち、デジタルコンテンツがどこでどれくらい再生されているのかの把握が可能であり、ＤＲＭ情報にデジタルコンテンツの再生部位をさらに含むことで、デジタルコンテンツの主に用いられる再生部位に対する統計資料を得ることもできる。
【００４２】
このようなデジタルコンテンツは、ＤＲＭまたはトラッキングが要求される動画、音楽コンテンツ、または広告物を含むことができ、このようなデジタルコンテンツにウイルス特性を有するＤＲＭコードを挿入し、このデジタルコンテンツが再生される場合に、ＤＲＭコードでデジタルコンテンツと関連したＤＲＭ情報を生成してＤＲＭシステムに送信することで、ＤＲＭ情報に基づいてデジタルコンテンツの配布程度および利用程度を把握し、デジタルコンテンツに対するＤＲＭおよびトラッキングを実行することができる。
【００４３】
図４は、本発明の第２実施形態において、ＤＲＭコードでＤＲＭ機能を実行する方法を示すフローチャートである。
【００４４】
図３で説明したようなウイルス特性を有するＤＲＭコードは、デジタルコンテンツが再生される場合に、ＤＲＭコードが含むＤＲＭ機能の実行を開始する。このようなＤＲＭ機能は、ＤＲＭ情報を生成する機能と、ＤＲＭ情報をＤＲＭシステムに送信する機能との２つの機能を含むことができる。
【００４５】
以下、ＤＲＭ情報を生成する機能は、ステップＳ４１０およびステップＳ４１０に含まれて実行されるステップＳ４１１〜ステップＳ４１４を介して説明し、ＤＲＭ情報をＤＲＭシステムに送信する機能は、ステップＳ４２０を介して説明する。
【００４６】
ステップＳ４１０で、ＤＲＭコードは、デジタルコンテンツが再生される場合に、デジタルコンテンツと関連したＤＲＭ情報を生成する。この場合に、ＤＲＭコードは、他のプログラムに挿入されて現われないように機能を実行するウイルス特性を用いてデジタルコンテンツが再生される場合に、ＤＲＭ機能を実行することができる。
【００４７】
このとき、ステップＳ４１０は、端末機が携帯用デジタル装置である場合に、携帯用デジタル装置の固有番号を認識してデジタルコンテンツの再配布を認識することによってデジタルコンテンツの再生を制限するステップ（図示せず）を含むことができ、デジタルコンテンツの再生を制限するステップは、ＤＲＭシステムへの情報送信が不可能である場合にコンテンツの再生を制限するステップを含むことができる。
【００４８】
すなわち、固有番号を認識することによって端末機が携帯用デジタル装置であることを認識し、デジタルコンテンツの再生を制限することができる。また、携帯用デジタル装置がＤＲＭシステムに情報を送信できない場合にのみデジタルコンテンツの再生を制限することもできる。
【００４９】
ＤＲＭコードは、デジタルコンテンツ内にウイルス特性またはＩＲＣＢｏｔの特性を有する広告タグが存在する場合に、広告タグと関連したＤＲＭサーバまたは広告サーバに広告をリアルタイムで要請する広告要請を送信するステップ（図示せず）をさらに含むことができる。
【００５０】
ステップＳ４１１で、ＤＲＭコードは、端末機のＩＰアドレスおよびＭＡＣアドレスを取得する。ＩＰアドレスは、デジタルコンテンツがどこで再生されたのか分析することができる資料（情報）として活用することができ、ＭＡＣアドレスは、デジタルコンテンツの伝播程度を制限するために活用することができる。
【００５１】
ステップＳ４１２で、ＤＲＭコードは、ＩＰアドレスをＤＲＭ情報に追加する。
【００５２】
ステップＳ４１３で、ＤＲＭコードは、ＭＡＣアドレスを介してデジタルコンテンツの再配布の可否を確認して伝播回数を増加させる。伝播回数を増加させる方法については、図５を参照しながらより詳しく説明する。
【００５３】
ステップＳ４１４で、ＤＲＭコードは、再生時間および再生回数を取得してＤＲＭ情報に追加する。再生時間および再生回数は、デジタルコンテンツがどのくらい再生されたのか分析するために活用することができる上に、ＤＲＭ情報にデジタルコンテンツに対する再生部分に対する情報をさらに追加してデジタルコンテンツのどの部分をユーザがより多く用いるのかを確認する情報として活用することができる。また、デジタルコンテンツに広告物を挿入する場合に、広告物をどの部分に挿入しなければならないのかに対する情報としても活用することができる。広告物についての内容は、図７を参照しながらより詳しく説明する。
【００５４】
ステップＳ４２０で、ＤＲＭコードは、デジタルコンテンツと関連したＤＲＭシステムにＤＲＭ情報を送信する。この場合に、ステップＳ４２０は、端末機のネットワーク連結を確認するステップと、ネットワーク連結が確認された場合に、ＤＲＭコードが含むＤＲＭシステムと関連したＵＲＬ情報を用いてＤＲＭ情報を送信するステップとを含むことができる。
【００５５】
図５は、本発明の第２実施形態において、伝播回数を増加させる方法を示すフローチャートである。
【００５６】
ステップＳ５０１で、ＤＲＭコードは、ＭＡＣアドレスをＤＲＭ情報が含む既存のＭＡＣアドレスと比較する。
【００５７】
ステップＳ５０２で、ＤＲＭコードは、ＭＡＣアドレスと既存ＤＲＭアドレスとを比較した結果、互いに同じ場合にはステップＳ４１４を実行し、互いに異なる場合にはステップＳ５０３を実行する。この場合に、ステップＳ５０２とステップＳ５０３との間にステップＳ５１０を追加して実行することができる。
【００５８】
ステップＳ５０３で、ＤＲＭコードは、ＭＡＣアドレスと既存のＭＡＣアドレスとが互いに異なる場合に、既存のＭＡＣアドレスをＭＡＣアドレスに変更する。
【００５９】
ステップＳ５０４で、ＤＲＭコードは、ＤＲＭ情報に含まれた伝播回数のカウンタを増加させる。この場合に、伝播回数は、デジタルコンテンツをダウンロードした端末機の個数を含むことができる。
【００６０】
ステップＳ５１０で、ＤＲＭコードは、該ＤＲＭコードに所定の（ｐｒｅｄｅｔｅｒｍｉｎｅｄ）満了回数が含まれ、伝播回数が２回以上である場合に、ステップＳ５１１〜ステップＳ５１３を実行することができる。
【００６１】
ステップＳ５１１で、ＤＲＭコードは、ＭＡＣアドレスと既存のＭＡＣアドレスとが互いに異なる場合に、デジタルコンテンツが再配布されることを認識する。
【００６２】
ステップＳ５１２で、伝播回数が満了回数以上である場合にはステップＳ５１２を実行し、満了回数未満である場合にはステップＳ５０３を実行する。
【００６３】
ステップＳ５１３で、ＤＲＭコードは、伝播回数が満了回数以上である場合に、デジタルコンテンツを満了する。
【００６４】
このように、ＤＲＭコードに満了回数を含ませることにより、満了回数を用いてデジタルコンテンツの伝播程度を初めの配布以前から調節することが可能となる。この場合に、デジタルコンテンツが再配布される場合に、デジタルコンテンツのユーザが他のユーザであることを認識し、デジタルコンテンツが著作権のあるコンテンツを示す内容およびＤＲＭ情報をＤＲＭシステムに送信することを示す内容を他のユーザに提供して同意を得た後、デジタルコンテンツを再生するようにできる。
【００６５】
図６は、デジタルコンテンツを満了する方法を説明するための一例を示す図である。
【００６６】
ＤＲＭシステム６０１は、デジタルコンテンツに挿入されるＤＲＭコードに所定の満了回数を含むことができる。
【００６７】
以下、図６に示すように、満了回数が「３」の値に設定されていることを例示してデジタルコンテンツを満了する方法を説明する。
【００６８】
ＤＲＭコードは、デジタルコンテンツをダウンロードした端末機の個数を含む伝播回数を数えるためのカウンタを含んでいるが、デジタルコンテンツがダウンロードされない場合に伝播回数は「０」の値を有する。
【００６９】
デジタルコンテンツが端末機６０２にダウンロードされてデジタルコンテンツが端末機６０２で再生される場合に、ＤＲＭコードは、ステップＳ５０１〜ステップＳ５０４で説明したように、端末機６０２の第１ＭＡＣアドレスとＤＲＭコードに含まれている既存のＭＡＣアドレスとを比較する。
【００７０】
このとき、既存のＭＡＣアドレスは、所定のデフォルト（ｄｅｆａｕｌｔ）値を含むことができる。比較によって第１ＭＡＣアドレスと既存のＭＡＣアドレスとが互いに異なるため、既存のＭＡＣアドレスを第１ＭＡＣアドレスに変更し、ＤＲＭ情報に含まれた伝播回数のカウンタを「１」に増加させる。この場合に、伝播回数が図５で説明した２回以上に含まれないため、デジタルコンテンツを満了するためのステップＳ５１０を実行しない。
【００７１】
端末機６０２からデジタルコンテンツをダウンロードした端末機６０３でも、端末機６０３の第２ＭＡＣアドレスと第１ＭＡＣアドレスに変更された既存のＭＡＣアドレスとが互いに異なるため、既存のＭＡＣアドレスを第２ＭＡＣアドレスに変更し、伝播回数のカウンタを「２」に増加させる。
【００７２】
この場合は、ＤＲＭコードが満了回数を含み、伝播回数が２回以上に含まれるため、ステップＳ５１０を実行する。しかしながら、ステップＳ５１０が含むステップＳ５１２のように、伝播回数が満了回数以上ではないため、デジタルコンテンツを満了しない。
【００７３】
端末機６０３からデジタルコンテンツをダウンロードした端末機６０４でも、端末機６０４の第３ＭＡＣアドレスと第２ＭＡＣアドレスに変更された既存のＭＡＣアドレスとが互いに異なるため、既存のＭＡＣアドレスを第３ＭＡＣアドレスに変更し、伝播回数のカウンタを「３」に増加させる。
【００７４】
このとき、端末機６０４では、伝播回数が満了回数以上であるため、ステップＳ５１０を介してデジタルコンテンツが満了し、端末機６０４はデジタルコンテンツの再生ができなくなる。
【００７５】
もし、満了回数が「２」である場合に、これは端末機６０２に存在するデジタルコンテンツはあらゆる他の端末機でもダウンロードして再生することが可能であるが、端末機６０２を除いた他の端末機に存在するデジタルコンテンツは他の端末機でダウンロードは可能であるが再生はできないことを意味する。
【００７６】
以上、図６で詳察したデジタルコンテンツを満了する方法は、本発明の実施形態に対する一例に過ぎず、この一例に限定されるものではなく、本発明が属する分野において通常の知識を有する者であれば、このような記載から多様な修正および変形が可能である。
【００７７】
図７は、本発明の第２実施形態において、広告物を提供する方法を示すフローチャートである。この方法は、デジタルコンテンツに広告物が含まれている場合に、図４で説明したステップＳ４２０の後にさらに含んで実行することができる。このとき、広告物は、ストリーミング（ｓｔｒｅａｍｉｎｇ）広告、静止写真広告、またはリッチメディアコンテンツ（ｒｉｃｈ  ｍｅｄｉａ  ｃｏｎｔｅｎｔｓ）を含むことができる。
【００７８】
ステップＳ７０１で、ＤＲＭコードは、当該ＤＲＭコードに対してデジタルコンテンツに広告物を挿入するレイヤ（ｌａｙｅｒ）またはスクリプトが含まれている場合、広告物を提供する。この場合に、ＤＲＭコードはデジタルコンテンツの初め、中間、終りを含む多様な位置に挿入が可能であり、レイヤまたはスクリプトはＤＲＭコードではないデジタルコンテンツの他の部分に挿入が可能である。
【００７９】
ステップＳ７０２で、ＤＲＭコードは、広告物が選択された場合にはステップＳ７０３を実行し、広告物が選択されない場合には終了する。ここで、広告物が選択される場合は、端末機のユーザが広告物をマウスでクリックする場合を含むことができる。
【００８０】
ステップＳ７０３で、ＤＲＭコードは、広告物が選択される場合に、端末機のアプリケーションおよびネットワークを介して広告物と関連したＵＲＬのウェブページを提供する。この場合に、ＵＲＬは、広告物と共にデジタルコンテンツに含まれたり、ＤＲＭと共にデジタルコンテンツに含まれたりする。
【００８１】
このように、デジタルコンテンツにＤＲＭコードと共に広告物を挿入した場合、またはデジタルコンテンツが広告物である場合に、広告主が広告物に対してトラッキングをして広告効果を測定するための情報の提供を簡単かつ便利に受けることができる。
【００８２】
また、デジタルコンテンツの提供者が自由に広告物をデジタルコンテンツに挿入して配布することによって著作権と広告収入を共有し、これによりデジタルコンテンツのユーザが有料コンテンツを無料で用いることができる。
【００８３】
図８は、デジタルコンテンツの２次配布をトラッキングする方法および端末機に広告物と関連したウェブページを提供する方法の一例を示す図である。
【００８４】
ＤＲＭシステム８０１でウイルス特性を有するＤＲＭコードを挿入したデジタルコンテンツを端末機８０２でダウンロードしてデジタルコンテンツを再生する場合に、ＤＲＭコードは、端末機８０２のＩＰアドレス、デジタルコンテンツの再生回数、再生時間、または伝播回数などの情報を含むＤＲＭ情報を生成し、これをＤＲＭシステム８０１に送信する。
【００８５】
デジタルコンテンツを端末機８０２から端末機８０３が再びダウンロードすることにより、デジタルコンテンツが２次配布された場合にも、端末機８０３でデジタルコンテンツを再生すれば、ＤＲＭコードは端末機８０３のＩＰアドレス、デジタルコンテンツの再生回数、再生時間、または伝播回数などの情報を含むＤＲＭ情報を生成し、これをＤＲＭシステム８０１に送信する。
【００８６】
このように、端末機８０２および端末機８０３から送信されたＤＲＭ情報に基づき、ＤＲＭシステム８０１は、デジタルコンテンツの配布程度をトラッキングすることができ、さらにこれを介してＤＲＭも可能となる。
【００８７】
これは、デジタルコンテンツの２次配布だけではなく、Ｎ次配布の場合にも同じ方法を用いてデジタルコンテンツに対するトラッキングおよびＤＲＭが可能であることを表す。
【００８８】
また、デジタルコンテンツには、図７で説明したように、ＤＲＭコードにデジタルコンテンツに広告物を挿入するレイヤまたはスクリプトが含まれている場合がある。または、レイヤとスクリプトがＤＲＭコードではないデジタルコンテンツの特定部位に挿入される場合もある。
【００８９】
このような場合に、デジタルコンテンツが再生される間、またはデジタルコンテンツの一部分が再生される間に、ＤＲＭコードは、広告物を端末機８０２、８０３に提供する。
【００９０】
例えば、図８に示すように広告物が選択される場合に、ＤＲＭコードは、端末機８０３のアプリケーションおよびネットワークを介して広告物と関連したＵＲＬのウェブページを提供する。
【００９１】
以上、図８で詳察したデジタルコンテンツの２次配布をトラッキングする方法および端末機に広告物と関連したウェブページを提供する方法は、本発明の実施形態に対する一例に過ぎず、このような一例に限定されることはなく、本発明が属する分野において通常の知識を有する者であれば、このような記載から多様な修正および変形が可能である。
【００９２】
図９は、本発明の第３実施形態において、デジタルコンテンツに対するＤＲＭおよびトラッキングを実行するＤＲＭシステムの内部構成を説明するためのブロック図である。図９に示すように、ＤＲＭシステム９００は、ＤＲＭコード挿入部９１０およびＤＲＭおよびトラッキング実行部９２０を備えることができる。
【００９３】
ＤＲＭコード挿入部９１０は、ＤＲＭシステムからデジタルコンテンツにウイルス特性を有するＤＲＭコードを挿入する。この場合に、ＤＲＭコードは、他のプログラムに挿入されて現われないように機能を実行するウイルス特性を用いてデジタルコンテンツが再生される場合に、ＤＲＭ機能を実行することができる。
【００９４】
トラッキング実行部９２０は、ＤＲＭコードによって生成されたＤＲＭ情報に基づいてデジタルコンテンツに対するＤＲＭおよびトラッキングを実行する。この場合に、トラッキング実行部９２０は、ＤＲＭ情報受信部９２１と、情報抽出部９２２と、配布程度および利用程度把握部９２３とを備えることができる。さらに、ＤＲＭ機能は、デジタルコンテンツと関連したＤＲＭ情報を生成する機能と、ＤＲＭシステムにＤＲＭ情報を送信する機能とを含むことができる。
【００９５】
ＤＲＭ情報受信部９２１は、デジタルコンテンツをダウンロードした端末機からＩＰアドレス、デジタルコンテンツの再生時間、再生回数、または伝播回数を含むＤＲＭ情報を受信する。
【００９６】
情報抽出部９２２は、ＤＲＭ情報からＩＰアドレス、再生時間、再生回数、または伝播回数を抽出する。
配布程度および利用程度把握部９２３は、ＩＰアドレス、再生時間、再生回数、または伝播回数を分析してデジタルコンテンツの配布程度および利用程度を把握する。
【００９７】
このように、ウイルス特性を有するＤＲＭコードをデジタルコンテンツに挿入し、このデジタルコンテンツが再生される場合に、ＤＲＭコードでデジタルコンテンツと関連したＤＲＭ情報を生成してＤＲＭシステムに送信することで、ＤＲＭ情報に基づいてデジタルコンテンツの配布程度および利用程度を把握し、デジタルコンテンツに対するＤＲＭおよびトラッキングを実行することができる。
【００９８】
図１０は、本発明の第４実施形態において、ＤＲＭコード実行システムの内部構成を説明するためのブロック図である。図１０に示すように、ＤＲＭコード実行システム１０００は、ＤＲＭ情報生成部１０１０と、ＤＲＭ情報送信部１０２０とを備えることができる。
【００９９】
ＤＲＭ情報生成部１０１０は、デジタルコンテンツが再生される場合に、デジタルコンテンツと関連したＤＲＭ情報を生成する。この場合に、ＤＲＭ情報生成部１０１０は、アドレス取得部１０１１と、ＩＰアドレス追加部１０１２と、伝播回数増加部１０１３と、再生時間および再生回数追加部１０１４とを備えることができる。また、ＤＲＭ情報は、ＩＰアドレス、デジタルコンテンツの再生時間、再生回数、または伝播回数を含むことができる。
【０１００】
アドレス取得部１０１１は、端末機のＩＰアドレスおよびＭＡＣアドレスを取得する。
【０１０１】
ＩＰアドレス追加部１０１２は、ＩＰアドレスをＤＲＭ情報に追加する。
【０１０２】
伝播回数増加部１０１３は、ＭＡＣアドレスを用いてデジタルコンテンツの再配布の可否を確認し、再配布された場合に伝播回数を増加させる。この場合に、伝播回数は、デジタルコンテンツをダウンロードした端末機の個数を含むことができる。伝播回数増加部１０１３については、図１１を参照しながら詳しく説明する。
【０１０３】
再生時間および再生回数追加部１０１４は、再生時間および再生回数を取得してＤＲＭ情報に追加する。
【０１０４】
ＤＲＭ情報送信部１０２０は、デジタルコンテンツと関連したＤＲＭシステムにＤＲＭ情報を送信する。ＤＲＭ情報は、図９で説明したように、デジタルコンテンツに対するＤＲＭおよびトラッキングを実行するために用いることができる。例えば、このとき、ＩＰアドレスは、デジタルコンテンツがどこで再生されたのか分析することができる資料として活用することができ、ＭＡＣアドレスは、デジタルコンテンツの伝播程度を制限するために活用することができる。
【０１０５】
図１１は、本発明の第４実施形態において、伝播回数増加部の内部構成を説明するためのブロック図である。図１１に示すように、伝播回数増加部１０１３は、ＭＡＣアドレス比較部１１０１と、ＭＡＣアドレス変更部１１０２と、カウンタ増加部１１０３とを備えることができ、ＤＲＭコード内の満了回数が設定された場合に、再配布認識部１１０４と、デジタルコンテンツ満了部１１０５とをさらに備えることができる。
【０１０６】
ＭＡＣアドレス比較部１１０１は、ＭＡＣアドレスをＤＲＭ情報が含む既存のＭＡＣアドレスと比較する。
【０１０７】
ＭＡＣアドレス変更部１１０２は、ＭＡＣアドレスと既存のＭＡＣアドレスとが互いに異なる場合に、既存のＭＡＣアドレスをＭＡＣアドレスに変更する。
【０１０８】
カウンタ増加部１１０３は、ＤＲＭ情報に含まれた伝播回数のカウンタを増加させる。
【０１０９】
再配布認識部１１０４は、ＭＡＣアドレスと既存のＭＡＣアドレスとが互いに異なる場合に、デジタルコンテンツが再配布されることを認識する。この場合に、再配布認識によってデジタルコンテンツの再生をすぐに制限することもできるし、デジタルコンテンツ満了部１１０５を介して満了回数だけを再配布を許容した状態でデジタルコンテンツの再生を制限することもできる。
【０１１０】
デジタルコンテンツ満了部１１０５は、伝播回数が所定の（ｐｒｅｄｅｔｅｒｍｉｎｅｄ）満了回数以上である場合に、デジタルコンテンツを満了する。
【０１１１】
このように、満了回数を用いたデジタルコンテンツの満了は、ＤＲＭコードに満了回数を含ませることで、満了回数によってデジタルコンテンツの伝播程度を初めの配布以前から調節することが可能となることを意味する。
【０１１２】
なお、本発明に係る実施形態は、コンピュータにより実現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるような機械語コードだけでなく、インタプリタなどを用いてコンピュータによって実行され得る高級言語コードを含む。前記したハードウェア要素は、本発明の動作を実行するために一以上のソフトウェアモジュールとして作動するように構成することができ、その逆もできる。
【０１１３】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【産業上の利用可能性】
【０１１４】
本発明によれば、ウイルス特性を有するＤＲＭコードをデジタルコンテンツに挿入し、このデジタルコンテンツが再生される場合に、ＤＲＭコードでデジタルコンテンツと関連したＤＲＭ情報を生成してＤＲＭシステムに送信することによってＤＲＭ情報に基づいてデジタルコンテンツの配布程度および利用程度を把握し、デジタルコンテンツに対するＤＲＭおよびトラッキングを実行することができる。
【０１１５】
また、本発明によれば、デジタルコンテンツのファイル容量およびファイル品質に対してほぼ変化がなく、ＤＲＭコードの存在可否とは無関係に汎用プレイヤで再生が可能であり、汎用プレイヤに依存しないＤＲＭおよびトラッキングを実行することができる。
【０１１６】
また、本発明によれば、デジタルコンテンツにＤＲＭコードと共に広告物を挿入した場合に、またはデジタルコンテンツが広告物である場合に、広告主が広告物に対してトラッキングして広告効果を測定するための情報を簡単かつ便利に提供されることができる。
【０１１７】
さらに、本発明によれば、デジタルコンテンツの提供者が自由に広告物をデジタルコンテンツに挿入して配布することによって著作権と広告収入を共有し、これによりデジタルコンテンツのユーザが有料コンテンツを無料で用いることができる。
【図面の簡単な説明】
【０１１８】
【図１】従来技術において、ＤＲＭを実行する方法を概括的に示す図である。
【図２】本発明の第１実施形態において、デジタルコンテンツに対するＤＲＭおよびトラッキングを実行する方法を概括的に示す図である。
【図３】本発明の第１実施形態において、デジタルコンテンツに対するＤＲＭおよびトラッキングを実行する方法を示すフローチャートである。
【図４】本発明の第２実施形態において、ＤＲＭコードでＤＲＭ機能を実行する方法を示すフローチャートである。
【図５】本発明の第２実施形態において、伝播回数を増加させる方法を示すフローチャートである。
【図６】デジタルコンテンツを満了する方法を説明するための一例を示す図である。
【図７】本発明の第２実施形態において、広告物を提供する方法を示すフローチャートである。
【図８】デジタルコンテンツの２次配布をトラッキングする方法および端末機に広告物と関連したウェブページを提供する方法の一例を示す図である。
【図９】本発明の第３実施形態において、デジタルコンテンツに対するＤＲＭおよびトラッキングを実行するＤＲＭシステムの内部構成を説明するためのブロック図である。
【図１０】本発明の第４実施形態において、ＤＲＭコード実行システムの内部構成を説明するためのブロック図である。
【図１１】本発明の第４実施形態において、伝播回数増加部の内部構成を説明するためのブロック図である。
【図１】
2009538465.tif 000003
【図２】
2009538465.tif 000004
【図３】
2009538465.tif 000005
【図４】
2009538465.tif 000006
【図５】
2009538465.tif 000007
【図６】
2009538465.tif 000008
【図７】
2009538465.tif 000009
【図８】
2009538465.tif 000010
【図９】
2009538465.tif 000011
【図１０】
2009538465.tif 000012
【図１１】
2009538465.tif 000013
【国際調査報告】
2009538465.tif 000014
2009538465.tif 000015